(57)【要約】【課題】所定の接合部せん断耐力を確保できる構造とするとともに、施工上の問題を解決する鉄筋コンクリート構造物の最上層における柱と梁の接合部構造を提供することである。【解決手段】鉄筋コンクリート構造物の最上層における柱と梁の接合部構造１は、鉄筋コンクリート構造物の最上層における柱梁接合部２内に梁上端主筋７および梁下端主筋８の先端部が延長されて直線状に配筋され、それらの先端部に定着板５が設けられ、前記柱梁接合部２の上部には柱筋４が定着される柱延長部３が突設されたことである。【選択図】図１
2008095290.tif 000002
【特許請求の範囲】
【請求項１】
鉄筋コンクリート構造物の最上層における柱梁接合部内に梁上端主筋および梁下端主筋の先端部が延長されて直線状に配筋され、それらの先端部に定着板が設けられ、前記柱梁接合部の上部には柱筋が定着される柱延長部が突設されたことを特徴とする鉄筋コンクリート構造物の最上層における柱と梁の接合部構造。
【請求項２】
鉄筋コンクリート構造物の最上層における柱梁接合部内に梁上端主筋および梁下端主筋の先端部が延長されて直線状に配筋され、それらの先端部に定着板が設けられ、前記柱梁接合部内における梁上端主筋の上からコ字形の柱頭補強筋が開口側を下側にして配筋され、該柱頭補強筋の水平部が柱の帯筋の内側まで延び、かつ柱頭補強筋の垂直部が帯筋に内接して配筋されたことを特徴とする鉄筋コンクリート構造物の最上層における柱と梁の接合部構造。
【発明の詳細な説明】
【技術分野】
【０００１】
本発明は鉄筋コンクリート構造物の最上層における柱と梁の接合部構造に関するものである。
【背景技術】
【０００２】
従来、鉄筋コンクリート構造物の最上部における外柱の柱梁接合部においては、設計で要求される接合部せん断耐力を確保するために、梁上端筋を柱梁接合部内で折り曲げて定着させることが必須条件とされ、その余長部（垂直部）で定着耐力を確保する設計がなされてきた。また、柱筋の定着長さを確保するために、柱梁接合部の上部に柱延長部を突設させる場合でも、梁上端筋を折り曲げ定着させることは必要であった。この梁上端筋を折り曲げる方法の発明として、例えば特開２００４−１０３６９号公報の発明が開示されている。これは梁の上端主筋が柱梁接合部内で折り曲げ配筋され、かつ、所定の接合部耐力を確保するために、柱梁接合部内における梁の上端主筋には逆Ｕ字形の柱頭補強筋が下側を向いて帯筋に内接して配筋されている。
また梁上端主筋の先端に定着板を取り付けて直線状に配筋する工法の発明として、特開平７−６６６４９号公報、特開平１１−５０５２８号公報、特開２００２−２７６０２４号公報、特開２００３−２５３７５４号公報があり、梁上端筋の定着耐力を確保するための工夫がされている。
【特許文献１】特開２００４−１００３６９号公報
【特許文献２】特開平７−６６６４９号公報
【特許文献３】特開平１１−５０５２８号公報
【特許文献４】特開２００２−２７６０２４号公報
【特許文献５】特開２００３−２５３７５４号公報
【発明の開示】
【発明が解決しようとする課題】
【０００３】
しかし、梁上端主筋を折り曲げ定着することは、配筋上の納まりが悪く、その施工性とコンクリートの充填性に問題がある。また梁上端筋を直線状に定着させるだけでは、以下の理由により、所定の接合部せん断耐力を確保することができないという問題があった。
（１）梁と柱が閉じる方向に外力が作用した場合、接合部の出隅隅角部から割裂亀裂が生じる。
（２）接合部の帯筋の上部は、無筋状態になることから、所定のせん断耐力を期待できない。
（３）梁上端筋と柱筋との応力の伝達ができない。
【０００４】
本発明は上記のような問題に鑑みてなされたものであり、その目的は、所定の接合部せん断耐力を確保できる構造とするとともに、施工上の問題を解決する鉄筋コンクリート構造物の最上層における柱と梁の接合部構造を提供することである。
【課題を解決するための手段】
【０００５】
以上の課題を解決するための鉄筋コンクリート構造物の最上層における柱と梁の接合部構造は、鉄筋コンクリート構造物の最上層における柱梁接合部内に梁上端主筋および梁下端主筋の先端部が延長されて直線状に配筋され、それらの先端部に定着板が設けられ、前記柱梁接合部の上部には柱筋が定着される柱延長部が突設されたことを特徴とする。
また鉄筋コンクリート構造物の最上層における柱と梁の接合部構造は、鉄筋コンクリート構造物の最上層における柱梁接合部内に梁上端主筋および梁下端主筋の先端部が延長されて直線状に配筋され、それらの先端部に定着板が設けられ、前記柱梁接合部内における梁上端主筋の上からコ字形の柱頭補強筋が開口側を下側にして配筋され、該柱頭補強筋の水平部が柱の帯筋の内側まで延び、かつ柱頭補強筋の垂直部が帯筋に内接して配筋されたことを特徴とする。
【０００６】
柱梁接合部の出隅隅角部からの割裂亀裂は柱筋により防止され、柱梁接合部の帯筋の上部は、柱筋と横補強筋により補強されることから、所定の接合部せん断耐力を確保することができる。また柱梁接合部の出隅隅角部からの割裂亀裂は柱頭補強筋により防止され、柱梁接合部の帯筋の上部は柱頭補強筋により補強され、かつ梁上端筋と柱筋との応力の伝達ができることから、所定の接合部せん断耐力を確保することができる。
【発明の効果】
【０００７】
配筋上の納まりやコンクリートの充填性などの施工上の問題を解決することにより、所定の接合部せん断耐力を担保することができる鉄筋コンクリート構造物の最上層における柱と梁の接合部構造を提供することができる。
【発明を実施するための最良の形態】
【０００８】
以下に、本願発明の鉄筋コンクリート構造物の最上層、およびセットバックされた構造物の低層部分の最上層における柱と梁の接合部構造の実施の形態を図面に基づいて詳細に説明する。
【０００９】
本実施の形態は、図１に示すように、鉄筋コンクリート構造物の最上層、およびセットバックされた構造物の低層部分の最上層における外周側の柱と梁の接合部構造（以下、柱と梁との接合部構造という）を対象とし、図１は本願発明の実施の形態の柱と梁の接合部構造１を示したものである。
【００１０】
この柱と梁の接合部構造１は、図２に示すように、柱梁接合部２の上側に柱延長部３が突設され、該柱延長部３にまで延長された柱筋４の上端部には柱筋４と直交した定着板５が取り付けられている。この柱延長部３は梁せいの１／２程度の高さであり、柱と同じ間隔で帯筋６が配筋されている。また定着板５は平面円形であり、柱筋４の先端部にねじ込まれている。
【００１１】
一方、梁上端主筋７および梁下端主筋８は柱梁接合部２内における外側の柱筋４ａの近傍まで延びて直線状に配筋され、その先端部に定着板５が取り付けられている。このように柱筋４、梁上端主筋７および梁下端主筋８は、柱梁接合部２および柱延長部３において直線状に配筋され、その先端部にはそれぞれ定着板５が設けられている。また梁上端主筋７の柱内への配筋長さは柱幅の３／４以上が好適であり、梁下端主筋８は柱幅の２／３以上が好適である。
【００１２】
また図３の柱と梁の接合部構造１０は、柱梁接合部２の上側に柱延長部３が突設されないものであり、上記の柱梁接合部２内における梁上端主筋７にコ字形の柱頭補強筋１１が開口側を下側にして、帯筋６に内接するように梁軸方向および梁軸直交方向に配筋されており、これ以外は上記の柱と梁の接合部構造１と同じ構成である。このコ字形の柱頭補強筋１１は水平部１１ａと、この両側に延びた垂直部１１ｂとからなり、水平部１１ａが柱の帯筋６の内側まで延びてこれに内接し、垂直部１１ｂも帯筋６に内接し、かつ柱筋４に沿って配筋されている。なお、上記の柱頭補強筋１１は梁軸方向および梁軸直交方向に配筋したものに限らず、梁軸方向または梁軸直交方向のいずれか一方に配筋したものでもよい。
【００１３】
また図４は、上記の柱と梁の接合部構造１の層せん断力と層間変形角との関係の試験結果を示したものであり、これにより柱と梁の接合部構造１が十分な変形性能と靱性とを備えていることを確認することができる。したがって、従来のように柱梁接合部において、梁上端主筋および梁下端主筋を折り曲げ配筋することがないので、どのような鉄筋径であっても簡単に配筋することができ、コンクリートの充填が阻害されることがない。
【図面の簡単な説明】
【００１４】
【図１】柱と梁の接合部構造の平面図である。
【図２】柱と梁の接合部構造を示し、（１）は平面図、（２）は側面図である。
【図３】柱と梁の接合部構造を示し、（１）は平面図、（２）は側面図である。
【図４】柱と梁の接合部構造の層せん断力と層間変形角との関係を示した図である。
【符号の説明】
【００１５】
１、１０  柱と梁の接合部構造
２  柱梁接合部
３  柱延長部
４  柱筋
４ａ  外側の柱筋
５  定着板
６  帯筋
７  梁上端主筋
８  梁下端主筋
１１  柱頭補強筋
１１ａ  水平部
１１ｂ  垂直部
【図１】
2008095290.tif 000003
【図２】
2008095290.tif 000004
【図３】
2008095290.tif 000005
【図４】
2008095290.tif 000006